(57)【要約】【課題】動画像を利用して興趣に優れる表示が可能な携帯情報端末を提供する。【解決手段】携帯情報端末１００であって、動画像または静止画像を表示する表示部１１４と、動画像を撮影するカメラ１１２と、ユーザからの指示を受付ける操作部１１３と、カメラ１１２により撮影された動画像を格納するメモリ１１５と、操作部１１３から受け取ったユーザからの前記指示に基づいて、メモリ１１５に格納されている動画像を処理し、この動画像を素材として用いる待受モード画像を作成し、携帯情報端末１００が待受モード状態にある場合に、待受モード画像を表示部１１４に表示させる制御部１１０と、を備える携帯情報端末１００を提供する。【選択図】図１
2005323008.tif 000002
【特許請求の範囲】
【請求項１】
携帯情報端末であって、
動画像または静止画像を表示する表示部と、
動画像を撮影する撮影部と、
ユーザからの指示を受付ける受付部と、
前記撮影部により撮影された前記動画像を格納する画像格納部と、
前記受付部から受け取った前記ユーザからの前記指示に基づいて、前記画像格納部に格納されている前記動画像を処理し、前記動画像を素材として用いる特定モード画像を作成し、前記携帯情報端末が特定モード状態にある場合に、前記特定モード画像を前記表示部に表示させる制御部と、
を備えることを特徴とする携帯情報端末。
【請求項２】
請求項１に記載の携帯情報端末において、
前記特定モードは、待受モード、着信モードまたは通話モードのいずれかであることを特徴とする携帯情報端末。
【請求項３】
請求項１または２に記載の携帯情報端末において、
前記撮影部は、
前記動画像の撮影が終了すると、前記制御部に対して、前記動画像の撮影が終了したことを示す撮影終了信号を伝達し、
前記制御部は、
前記撮影終了信号を受け取ると、前記表示部に、前記ユーザに前記指示を要求する画面を表示させ、
前記受付部は、
前記ユーザからの前記指示を受け付けると、前記指示を前記制御部に伝達することを特徴とする携帯情報端末。
【請求項４】
請求項１乃至３いずれかに記載の携帯情報端末において、
前記制御部は、
前記指示に基づいて、
前記画像格納部から前記動画像を取り込み、前記動画像に特定モードフラグを付加することにより、前記動画像を素材として用いる前記特定モード画像を作成し、
前記特定モード画像を前記画像格納部に格納し、
前記携帯情報端末が特定モード状態にあるか否かを判定し、
前記携帯情報端末が特定モード状態にある場合に、前記特定モード画像を前記画像格納部から取り込み、前記表示部に前記特定モード画像を表示させることを特徴とする携帯情報端末。
【請求項５】
請求項１乃至４いずれかに記載の携帯情報端末において、
前記特定モード画像は、前記動画像の一部を構成する静止画像を、前記動画像の再生終了後に表示する構成からなることを特徴とする携帯情報端末。
【請求項６】
請求項５に記載の携帯情報端末において、
前記制御部は、
前記表示部に、前記ユーザに前記静止画像の選択に関する第二の指示を要求する画面を表示させ、
前記受付部は、
前記ユーザからの前記第二の指示を受け付けると、前記第二の指示を前記制御部に伝達することを特徴とする携帯情報端末。
【請求項７】
請求項６に記載の携帯情報端末において、
前記制御部は、
前記第二の指示に基づいて、
前記画像格納部から前記動画像の一部を構成する静止画像を取り込み、前記静止画像に前記特定モードフラグと関連づけられた第二の特定モードフラグを付加することにより、前記静止画像を前記動画像の再生終了後に表示する前記特定モード画像を作成することを特徴とする携帯情報端末。
【請求項８】
請求項１乃至７いずれかに記載の携帯情報端末において、
音声を出力する音声出力部と、
前記撮影部と連動して音声を録音する録音部と、
前記録音部により録音された前記音声を、前記撮影部により撮影された前記動画像と関連づけて格納する音声格納部と、
をさらに備え、
前記制御部は、
前記受付部から受け取った前記ユーザからの前記指示に基づいて、前記音声格納部に格納されている前記音声を処理し、前記音声を素材として用いる特定モード音声を作成し、前記携帯情報端末が特定モード状態にある場合に、前記特定モード音声を前記特定モード画像と連動して前記音声出力部に出力させることを特徴とする携帯情報端末。
【発明の詳細な説明】
【技術分野】
【０００１】
本発明は、携帯情報端末に関する。
【背景技術】
【０００２】
近年、携帯情報端末の興趣を向上することを目的として、携帯情報端末の画像表示部に表示される画像の制御方法の開発が精力的に行われている。この種の技術として、特許文献１記載のものがある。同文献には、動画像から静止画像を抽出するカメラ付き携帯情報端末が記載されている。
【０００３】
また、この種の技術として、特許文献２記載のものもある。同文献には、待受画面に対して、アニメーション状の動画画像を表示する携帯電話用の待受動画画面制御プログラムが記載されている。
【特許文献１】特開２００３−２１６８９３号公報
【特許文献２】特開２００３−２３５０７号公報
【発明の開示】
【発明が解決しようとする課題】
【０００４】
しかしながら、上記文献記載の従来技術は、以下の点で改善の余地を有していた。
【０００５】
第一に、カメラ付き携帯電話機の動画機能は、録画して携帯電話やＰＣ上にて見たり、電子メールにて他人に送ることが可能だが、静止画に比べて日常使用頻度が少ない。理由としては、静止画の様に携帯電話の待受け画面にしたり、写真としてプリントしたりすることが困難であるからである。
【０００６】
第二に、近年の消費性向が向上した携帯電話機のユーザは、与えられた画像データをただ単に選択するだけでは充分な満足を得られない場合がある。むしろ、近年のユーザは、自ら主体的に撮影した静止画像や動画像を利用して、携帯電話機を自分好みの設定にカスタマイズしたいという要望を有している。
【０００７】
本発明は上記事情に鑑みてなされたものであり、その目的とするところは、動画像を利用した興趣に優れる表示が可能な携帯情報端末を提供することにある。
【課題を解決するための手段】
【０００８】
本発明によれば、携帯情報端末であって、動画像または静止画像を表示する表示部と、動画像を撮影する撮影部と、ユーザからの指示を受付ける受付部と、撮影部により撮影された動画像を格納する画像格納部と、受付部から受け取ったユーザからの指示に基づいて、画像格納部に格納されている動画像を処理し、動画像を素材として用いる特定モード画像を作成し、携帯情報端末が特定モード状態にある場合に、特定モード画像を表示部に表示させる制御部と、を備える携帯情報端末が提供される。
【０００９】
この構成によれば、撮影部により撮影された動画像を素材とする特定モード画像を作成する制御部を備えるため、ユーザが撮影部により撮影した任意の動画像を特定モード画像に利用することができる。このため、動画像を利用した興趣に優れる表示が可能な携帯情報端末が得られる。
【００１０】
また、本発明に係る携帯情報端末において、上記特定モードは、待受モード、着信モードまたは通話モードのいずれかとすることができる。
【００１１】
この構成によれば、ユーザが撮影部により撮影した任意の動画像を、利用頻度の高い待受モード画像、着信モード画像または通話モード画像のいずれかとして利用することができる。このため、動画像を利用した興趣に優れる表示が可能な携帯情報端末が得られる。
【００１２】
また、本発明に係る携帯情報端末において、上記特定モード画像は、動画像の一部を構成する静止画像を、動画像の再生終了後に表示する構成とすることができる。
【００１３】
この構成によれば、ユーザが動画像の中で気に入ったシーンを静止画像として抽出することができるので、動画像の再生終了後に気に入った静止画像を表示部に表示することができる。このため、動画像を利用した興趣に優れる表示が可能な携帯情報端末が得られる。
【００１４】
以上、本発明の構成について説明したが、以上の構成要素の任意の組合せ、本発明の表現を方法、装置、システム、記録媒体、コンピュータプログラムなどの間で変換したものもまた、本発明の態様として有効である。
【００１５】
例えば、上記携帯情報端末は、カメラ付き携帯電話であってもよいが、特に限定するわけではない。他にも、カメラ付きＰＨＳ端末であってもよく、カメラ付きポケットベルであってもよく、カメラ付きＰＤＡであってもよく、カメラ付きノートパソコンであってもよく、カメラ付きカーナビゲーションシステムであってもよく、カメラ付き携帯音楽プレーヤーであってもよく、カメラ付きＧＰＳシステムであってもよい。
【発明の効果】
【００１６】
本発明によれば、撮影された動画像を素材とする特定モード画像を作成することができるため、動画像を利用して興趣に優れる表示が可能な携帯情報端末が得られる。
【発明を実施するための最良の形態】
【００１７】
本発明に係る携帯情報端末において、上記撮影部は、動画像の撮影が終了すると、制御部に対して、動画像の撮影が終了したことを示す撮影終了信号を伝達し、上記制御部は、撮影終了信号を受け取ると、表示部に、ユーザに指示を要求する画面を表示させ、上記受付部は、ユーザからの指示を受け付けると、指示を制御部に伝達する構成とすることができる。
【００１８】
この構成によれば、動画像の撮影終了後に、ユーザが動画像を特定モード画像として登録するか否かについて指示をすることが促される。また、ユーザが動画像を特定モード画像として登録するか否かについて指示をすると、その指示に基づいて、制御部が適切な処理を行うことができる。
【００１９】
また、本発明に係る携帯情報端末において、上記制御部は、指示に基づいて、画像格納部から動画像を取り込み、動画像に特定モードフラグを付加することにより、動画像を素材として用いる特定モード画像を作成し、特定モード画像を画像格納部に格納し、携帯情報端末が特定モード状態にあるか否かを判定し、携帯情報端末が特定モード状態にある場合に、特定モード画像を画像格納部から取り込み、表示部に特定モード画像を表示させる構成とすることができる。
【００２０】
この構成によれば、撮影された動画像から特定モード画像を容易に作成することができる。また、携帯情報端末が特定モード状態にある場合には、表示部に特定モード画像を表示させることができるので、携帯情報端末の表示部の興趣を向上することができる。
【００２１】
また、本発明に係る携帯情報端末において、上記制御部は、表示部に、ユーザに静止画像の選択に関する第二の指示を要求する画面を表示させ、上記受付部は、ユーザからの第二の指示を受け付けると、第二の指示を制御部に伝達する構成とすることができる。
【００２２】
この構成によれば、ユーザが、特定モード画像に用いる動画像の一部を構成する、特に気に入った静止画像を選択することが促される。また、ユーザが特に気に入った静止画像を選択すると、その選択に基づいて、制御部が適切な処理を行うことができる。
【００２３】
また、本発明に係る携帯情報端末において、上記制御部は、第二の指示に基づいて、画像格納部から動画像の一部を構成する静止画像を取り込み、静止画像に特定モードフラグと関連づけられた第二の特定モードフラグを付加することにより、静止画像を動画像の再生終了後に表示する特定モード画像を作成する構成とすることができる。
【００２４】
この構成によれば、撮影された動画像の一部を構成する静止画像を抽出し、静止画像を動画像の再生終了後に表示する特定モード画像を作成することができる。また、携帯情報端末が特定モード状態にある場合には、表示部に動画像を表示させ、動画像の再生終了後に静止画像を表示することができるので、携帯情報端末の表示部の興趣をさらに向上することができる。
【００２５】
また、本発明に係る携帯情報端末において、音声を出力する音声出力部と、撮影部と連動して音声を録音する録音部と、録音部により録音された音声を、撮影部により撮影された動画像と関連づけて格納する音声格納部と、をさらに備え、制御部は、受付部から受け取ったユーザからの指示に基づいて、音声格納部に格納されている音声を処理し、音声を素材として用いる特定モード音声を作成し、携帯情報端末が特定モード状態にある場合に、特定モード音声を特定モード画像と連動して音声出力部に出力させる構成とすることができる。
【００２６】
この構成によれば、また、携帯情報端末が特定モード状態にある場合には、表示部に動画像を表示させ、動画像に連動させて音声を出力することができるので、特定モード状態における携帯情報端末の興趣をさらに向上することができる。
【００２７】
以下、本発明の実施の形態について、図面を用いて説明する。尚、すべての図面において、同様な構成要素には同様の符号を付し、適宜説明を省略する。
<実施形態１>
図１は、実施の形態に係る携帯情報端末の構成を模式的に示したブロック図である。
【００２８】
携帯情報端末１００は、動画像または静止画像を表示する表示部１１４と、動画像を撮影する撮影部（カメラ１１２）と、ユーザからの指示を受付ける受付部（操作部１１３）と、撮影部により撮影された動画像を格納する画像格納部（メモリ１１５）と、受付部から受け取ったユーザからの指示に基づいて、画像格納部に格納されている動画像を処理し、動画像を素材として用いる特定モード（待受モード）画像を作成し、携帯情報端末１００が特定モード状態にある場合に、特定モード画像を表示部１１４に表示させる制御部１１０と、を備える。
【００２９】
この構成によれば、カメラ１１２により撮影された動画像を素材とする待受モード画像を作成する制御部１１０を備えるため、ユーザがカメラ１１２により撮影した任意の動画像を待受モード画像に利用することができる。
【００３０】
このため、カメラ１１２により撮影された動画像を待受モード画像として利用する事が出来るので、カメラ１１２により撮影された動画像の利用機会が増え、携帯情報端末１００の待受画面の機能も向上する。
【００３１】
また、後述するように、カメラ１１２により撮影された動画像の一部の好みの静止画を動画再生終了後に表示することが可能となり、動画再生終了後でも良いシーンを表示していることが可能となる。ユーザは、カメラ１１２により撮影された動画像の中でも特に気に入ったシーンを長時間眺めることができるため、携帯情報端末１００の待受画面の興趣はさらに向上する。
【００３２】
このため、本実施形態の構成によれば、カメラ１１２により撮影された動画像の利用性に優れる携帯情報端末１００が得られる。
【００３３】
より具体的に説明すると、制御部１１０は、画像処理部１１１、ＣＰＵ１１７、モード判断部１２２、音声処理部１２３を有し、操作部１１３より入力されるユーザー操作などを起点に、携帯情報端末１００を動作させる為の各種の制御を行う。
【００３４】
メモリ１１５は、携帯情報端末１００を動作させるために必要とされる各種プログラム、ＩＤ情報、電話帳データ、静止画像または動画像からなる撮影画像データ録音された音声データなどが保存されており、読み出し、書き込みを行うことが出来る。なお、携帯情報端末１００には本体メモリ、外部メモリが設けられていてもよい。図１では、本体メモリ、外部メモリをひとまとめにメモリ１１５として記載する。
【００３５】
また、メモリ１１５には、後述するように、待受画像データ、着信画像データ、通話画像データなどからなる特定モード画像データも保存することができる。また、メモリ１１５には、後述するように、待受音声データ、着信音声データ、通話音声データなどからなる特定モード音声データも保存することができる。
【００３６】
また、メモリ１１５としては、特に限定するものではないが、例えば、ＲＡＭ、フラッシュメモリ、ハードディスク、ＳＤ（Ｒ）メモリーカード、スマートメディア（Ｒ）、メモリースティック（Ｒ）などを用いることができる。
【００３７】
画像処理部１１１は、アンテナを備える無線部１０１より受信された画像データや、カメラ１１２により撮影された画像データを、表示用画像データとして加工処理したり、保存形式への画像合成処理などを行う。また、これらの静止画像または動画像などに、待受モード画像、着信モード画像、通話モード画像とするために、各特定モードを示す特定モードフラグを付加する処理も行う。
【００３８】
また、画像処理部１１１は、動画像再生時に静止画像を切り出す処理なども行う。このとき、動画像を構成する複数の静止画像のうち、ユーザが選択した静止画像を、元の動画像ファイルとは別の静止画像ファイルとすることができる。ここで、元の動画像と別の静止画像とを関連づけて保存しておけば、元の動画像の再生終了後に別の静止画像を表示することが可能となる。
【００３９】
あるいは、画像処理部１１１は、動画像を構成する複数の静止画像のうち、ユーザが選択した静止画像に、フラグを付加することもできる。この場合も、動画像の再生終了後にフラグが付加された静止画像を表示することにより、静止画像を別のファイルとして保存した場合と同様の画像表示効果を得ることができる。
【００４０】
カメラ１１２は、操作部１１３において受け付けられるユーザー操作に基づいて、制御部１１０の制御により動作し、撮影した静止画像または動画像からなる画像データを、画像処理部１１１に出力する。カメラ１１２は、一例として、ＣＣＤカメラであり、被写体を撮像し、画像データを制御部１１０を介してメモリ１１５に格納させる。
【００４１】
表示部１１４は、開閉検出部１１６により検出される表示部の開閉状態、携帯情報端末１００が待受モード、着信モード、通話モードのいずれであるかを判断するモード判断部１２２の判断、および操作部１１３において受け付けられるユーザー操作に基づいて、制御部１１０の制御により動作し、各種静止画像または動画像の表示を行う。
【００４２】
なお、折りたたみ式の携帯情報端末１００においては、携帯情報端末１００が折りたたまれた状態において、表示部１１４が閉じた状態となり、携帯情報端末１００が開いた状態において、表示部１１４が開いた状態となる構成が一般的である。この場合には、開閉検出部１１６は、携帯情報端末１００の折りたたみ検出部を兼ねてもよい。
【００４３】
また、表示部１１４は、カメラ１１２による撮影時においては、カメラ１１２の撮影対象を表示することができるので、ユーザがカメラ１１２の撮影対象を確認するためのファインダーとしての役割も行う。
【００４４】
無線部１０１は、操作部１１３において受け付けられるユーザー操作などに基づいて、制御部１１０の制御により、通話や電子メールの送受信などの動作を行う。無線部１０１は、携帯電話やＰＨＳなどの場合には、通常の基地局との無線通信機能を備えていることが一般的である。もっとも、特に限定されず、赤外線通信などの光通信機能、Ｂｌｕｅｔｏｏｔｈ（Ｒ）をはじめとする近距離無線通信機能を有していてもよい。なお、無線部１０１を介して、他人の携帯情報端末１００に備わるカメラ１１２により撮影された動画像を受信し、下記のフローチャートにより説明される動作と同様の動作を行うことも可能である。
【００４５】
また、制御部１１０に含まれるモード判断部１２２は、特に限定するものではないが、操作部１１３において受け付けられるユーザー操作による情報、無線部１０１を介して受信した情報、電池の残存量に関する情報、内在時計による情報、その他メモリに格納されている情報などの各種の情報に基づいて、携帯情報端末１００が、待受モード、着信モード、通話モード、その他各種のモードなどのいずれの状態にあるかを判断する。
【００４６】
その他の各種のモードとしては、特に限定するものではないが、目覚ましコールモード、インターネットモード、電子メールモード、時計モード、ゲームモード、スケジュール管理モード、ＧＰＳモード、カラオケモード、静止画像撮影モード、動画像撮影モード、音楽再生モード、音楽録音モード、充電モード、管理機能設定モードなどが挙げられる。なお、携帯情報端末１００は、同時に２種以上のモードに該当しうる。
【００４７】
スピーカ１２０は、音声再生時の音声出力を行う。ここで、スピーカ１２０による音声の再生は、表示部１１４による静止画像または動画像の再生と連動することができる。
【００４８】
また、マイク１２１は、音声録音時の音声入力を行う。ここで、マイク１２１による音声の録音は、カメラ１１２による静止画像または動画像の撮影と連動することができる。
【００４９】
また、制御部１１０に含まれる音声処理部１２３は、アンテナを備える無線部１０１より受信された音声データや、マイク１２１により録音された音声データを、再生用音声データとして加工処理したり、保存形式への音声合成処理などを行う。また、これらの音声データなどに、待受モード音声、着信モード音声、通話モード音声とするために、各特定モードを示す特定モードフラグを付加する処理も行う。
【００５０】
以下、実施形態に係る携帯情報端末の動作について図２、図３および図４のフローチャートを用いて説明する。
【００５１】
図２は、実施形態に係る携帯情報端末の動作について説明するフローチャート図である。ここでは、主に動画撮影のステップについて説明する。
【００５２】
まず、操作部１１３におけるユーザ操作に基づいて、制御部１１０が、カメラ１１２の起動を実施する（Ｓ２０１）。
【００５３】
次いで、操作部１１３におけるユーザ操作に基づいて、制御部１１０が、動画撮影モードを起動する。ここで、動画撮影モードを起動するとは、携帯情報端末１００の状態を動画撮影モードに変更することを意味する（Ｓ２０２）。なお、動画撮影モードとは、各携帯情報端末１００による異なるが、例えば、カメラ１１２による撮影において、各携帯情報端末１００の表示部１１４におけるＬＣＤサイズ（例えば、ＱＶＧＡ＝２４０×３２０画素）で動画像を撮影するモードである。
【００５４】
動画撮影モードへの切り替え後に、カメラ１１２により撮影した動画像からなる画像データを保存する為のメモリ１１５を検出する。メモリ１１５として、本体メモリ（ＳＲＡＭなどからなる本体メモリ）および外部メモリ（ＳＤ（Ｒ）メモリーカード、スマートメディア（Ｒ）、メモリースティック（Ｒ）など）が検出される場合には、本体メモリまたは外部メモリのどちらに画像データを保存するか、事前に動画撮影モードの起動後に、表示部１１４にユーザに選択を促す表示をさせる（Ｓ２０３）。そして、ユーザが選択したメモリに、カメラ１１２で撮影された画像データを、後のステップにて保存する。
【００５５】
なお、メモリ１１５として、本体メモリまたは外部メモリの一方しか検出されない場合には、ユーザに選択を促す表示をする必要はない。また、携帯情報端末１００に、本体メモリまたは外部メモリの一方が２以上備えられている場合には、それらのうちの１以上のメモリの選択を促す表示をする。また、ユーザにメモリ１１５の選択を促す表示をすることなく、制御部１１０によりメモリ１１５を自動選択してもよい。
【００５６】
続いて、操作部１１３におけるユーザ操作に基づいて、カメラ１１２による動画撮影を開始する（Ｓ２０４）。
【００５７】
このとき、動画撮影の条件は、操作部１１３におけるユーザ操作に基づいて、あるいは制御部１１０による自動制御により調整される。動画撮影の条件としては、例えば、ピント、解像度、絞り、明るさ、単位時間あたりのフレーム数、画像サイズ、色調などの条件が挙げられる。
【００５８】
そして、一定時間（選択されたメモリ１１５に録画できる時間）録画した後、メモリ１１５の録画可能領域が無くなった場合には、制御部１１０の自動制御により撮影を終了する。あるいは、操作部１１３におけるユーザ操作に基づいて、カメラ１１２による動画像の撮影を終了する（Ｓ２０５）。
【００５９】
カメラ１１２による動画像の撮影終了後、制御部１１０は、表示部１１４に、撮影された画像データを閲覧して確認するために再生するか、そのまま確認せずに画像データとしてメモリ１１５に登録するかの判断をユーザに促す表示をさせる（Ｓ２０６）。
【００６０】
ユーザが画像データの再生を選択した場合、撮影した動画像の画像データが再生されて表示部１１４に表示される（Ｓ２０７）。また、ユーザが画像データを再生しないことを選択した場合、撮影した動画像の画像データは再生されることなく、メモリ１１５に動画登録される（Ｓ２０９）。
【００６１】
画像データを再生した場合には、画像データの再生終了後、制御部１１０は、表示部１１４に、再生した画像データをそのまま画像データとしてメモリ１１５に登録するか、登録しないかの判断をユーザに促す表示をさせる（Ｓ２０８）。あるいは、再生した画像データを再度再生するか、そのまま画像データとしてメモリ１１５に登録するかの判断をユーザに促す表示をさせてもよい。
【００６２】
ユーザが登録しないことを選択した場合には、制御部１１０は、撮影した動画像の画像データをメモリ１１５に登録せず、そのまま消去してしまう。
【００６３】
ユーザがそのまま画像データとして登録することを選択した場合には、操作部１１３におけるユーザ操作に基づいて、制御部１１０は、撮影した動画像の画像データをメモリ１１５に登録する動画登録を行う（Ｓ２０９）。
【００６４】
上記のフローチャートにおける携帯情報端末１００の動作を別の観点から捉えると、携帯情報端末１００において、上記カメラ１１２は、動画像の撮影が終了すると、制御部１１０に対して、動画像の撮影が終了したことを示す撮影終了信号を伝達し、上記制御部１１０は、撮影終了信号を受け取ると、表示部１１４に、ユーザに指示を要求する画面を表示させ、上記操作部１１３は、ユーザからの指示を受け付けると、指示を制御部１１０に伝達する動作が行われている。
【００６５】
このような動作によれば、動画像の撮影終了後に、ユーザが動画像を特定モード画像として登録するか否かについて指示をすることが促される。また、ユーザが動画像を特定モード画像として登録するか否かについて指示をすると、その指示に基づいて、制御部１１０が適切な処理を行うことができる。
【００６６】
図３は、実施形態に係る携帯情報端末の動作について説明するフローチャート図である。ここでは、主に待受動画として登録するステップについて説明する。
【００６７】
カメラ１１２により撮影した動画像をメモリ１１５に登録した後に、登録した動画像を待受け画面へ登録するために、以下のステップが行われる。まず、操作部１１３におけるユーザ操作に基づいて、制御部１１０は、携帯情報端末１００の状態を待受画面設定モードに移行させる（Ｓ３０１）。
【００６８】
次いで、制御部１１０は、表示部１１４に、ユーザにメモリ１１５に登録（録画または保存）された動画像のうちから待受動画とすることを希望する動画像のファイルの選択を促す表示をさせる（Ｓ３０２）。
【００６９】
そして、操作部１１３におけるユーザ操作に基づいて、制御部１１０は、表示部１１４に、ユーザが選択した動画ファイルに含まれる動画像データを再生させる（Ｓ３０３）。
【００７０】
ここで、制御部１１０は、表示部１１４に、ユーザに待受け動画の最終画面（動画終了後に静止表示される画像）を指定することを促す表示をさせる。この表示に応じて、ユーザは、好みのタイミングにて動画再生途中に、操作部１１３において動画像を一時停止（Ｐａｕｓｅ）させる操作をすることにより、静止画像を指定する。すると、操作部１１３におけるユーザ操作に基づいて、制御部１１０は、指定された静止画切出タイミングにおいて再生中の動画像を一時停止して、指定された静止画像を表示部１１４に表示させる（Ｓ３０４）。
【００７１】
次いで、制御部１１０は、表示部１１４に、ユーザに表示された静止画像を終了画像として指定するか否かの選択を促す表示をさせる（Ｓ３０５）。
【００７２】
図７は、実施形態に係る携帯情報端末の表示部における画面表示の一例を説明する外観図である。具体的には、このような携帯情報端末１００の表示部１１４において、このような表示を行うことにより、ユーザの選択を促すことができる。
【００７３】
すなわち、ＬＣＤ画面７００において、カメラで撮影されたサッカーをする人物７０６を被写体とする動画像などを再生する。この際、ユーザに対して気に入ったシーンでＰａｕｓｅボタンを押下することを促す表示７０２を表示する。
【００７４】
あらかじめ被写体となる人物名（あるいはその人物の電話番号など）を入力済の場合には、対応アドレス７０４として人物名「つばさくん」などと表示してもよい。また、この人物の電話番号も併せて表示してもよい。また、動画像を再生する際に、スピーカ７１８から「いくぞ、シュートだー」などの録音した音声が連動して再生されてもよい。
【００７５】
ユーザは、この再生画面を見ながら、気に入ったシーン（例えば、つばさくんのシュート直前の格好いいシーン）において、Ｐａｕｓｅボタン７０８を押下することができる。また、再生をやり直したり、再生条件の調整をしたいときには、再生ボタン７１０、早送りボタン７１２、巻き戻しボタン７１４、一時停止ボタン（静止画像として登録はしない通常の一時停止ボタン）７１６などを利用可能である。
【００７６】
指定するタイミング等の面において、ユーザの希望のシーンに静止できなかった場合などは、操作部１１３においてユーザが表示された静止画像を終了画像として指定しない操作をすると、操作部１１３におけるユーザ操作に基づいて、制御部１１０は、表示部１１４に、一時停止している動画像を再度頭から再生させる。このとき、制御部１１０は、表示部１１４に、再生スピードをスローにするなどして動画像を再生させてもよい。
【００７７】
そして、ユーザが表示された静止画像を気に入って、終了画像として指定する操作をすると、操作部１１３におけるユーザ操作に基づいて、制御部１１０は、指定された静止画像に待受モード終了画像フラグを付加して、メモリ１１５に保存する。
【００７８】
続いて、制御部１１０は、表示部１１４に、指定された静止画像を終了画像として表示するように構成された動画像を待受動画として登録するか否かの選択を促す表示をさせる（Ｓ３０６）。
【００７９】
ユーザが待受動画として登録しないことを選択した場合には、操作部１１３におけるユーザ操作に基づいて、制御部１１０は、再度動画像を再生する（Ｓ３０３）。そして、ユーザが気に入った動画像（静止画像からなる終了画像付き）を待受動画として登録する選択をするまで、上記の各ステップを繰り返す。
【００８０】
ユーザが待受動画として登録することを選択した場合には、操作部１１３におけるユーザ操作に基づいて、制御部１１０は、動画像（静止画像からなる終了画像付き）に待受モードフラグを付加して、メモリ１１５に待受動画像として登録する（Ｓ３０７）。
【００８１】
上記のフローチャートにおける動画像または静止画像へフラグを付加するステップについて、メモリ１１５に格納されている画像データベースの構造などについて言及しつつ説明する。
【００８２】
図８は、動画像を構成するフレーム構造について説明する概念図である。ここで、上記の動画像データは、特に限定するものではないが、例えばＭＰＥＧなどを用いることができる。なお、ＭＰＥＧ−１、ＭＥＰＧ−２、ＭＰＥＧ−４、ＭＰＥＧ−７のいずれの形式であってもよい。ＭＰＥＧの動画像は、複数のフレームにより構成されており、個々のフレームが静止画像に相当する。
【００８３】
上述の動画像のうち気に入った静止画像にフラグを付加するには、例えば、図８に示すように、制御部１１０が、メモリ１１５内に格納されている、ＭＰＥＧで構成された動画像に含まれる複数のフレームのうち、特定のフレームに終了画像フラグを付加することによって行うことができる。この場合、例えば、制御部１１０は、表示部１１４に、動画ファイルＮｏ．１を待受動画として再生させ、再生終了後に、終了画像フラグが付加されているフレームＮｏ．５の静止画像を表示させることができる。
【００８４】
あるいは、制御部１１０は、メモリ１１５内に格納されている、ＭＰＥＧで構成された動画像に含まれる複数のフレームのうち、特定のフレームをＪＰＥＧなどからなる、別の静止画像ファイルとしてメモリ１１５内に書き出して、元の動画像ファイルと関連づけを行うフラグを付加してもよい。
【００８５】
また、図９は、実施形態に係る携帯情報端末のメモリ内に格納される画像データベースの構造の一例について説明するデータ構造図である。ここで、上記のメモリ１１５内に格納されるデータとしては、特に限定されず、例えば、動画像データ、静止画像データ、動画像データまたは静止画像データと関連づけられている音声データ、個人アドレスデータなどの各種データを格納可能である。図９に示すデータテーブルは、多数のデータテーブルの一つを示したに過ぎないものである。
【００８６】
上述のユーザが気に入った動画像データに待受モード画像などの特定モードフラグを付加する際には、例えば、制御部１１０は、メモリ１１５内に格納されている、画像ファイルＮｏ．１の動画像データに、待受モードフラグを付加することができる。
【００８７】
この場合、例えば、制御部１１０は、表示部１１４に、動画ファイルＮｏ．１を待受動画として再生させ、再生終了後に、終了画像フラグが付加されているフレームＮｏ．５の静止画像を表示させることができる。また、図９に示したデータ構造によれば、動画ファイルＮｏ．１の再生時には、音声データは連動して再生されないが、対応アドレス１２３番の氏名または名称（例えば加藤さん）を表示することもできる。
【００８８】
上記のフローチャートにおける携帯情報端末１００の動作を別の観点から捉えると、携帯情報端末１００において、上記制御部１１０は、指示に基づいて、メモリ１１５から動画像を取り込み、動画像に待受モードフラグを付加することにより、動画像を素材として用いる待受モード画像を作成し、待受モード画像をメモリ１１５に格納する動作を行う。
【００８９】
また、上記制御部１１０は、携帯情報端末１００が待受モード状態にあるか否かを判定し、携帯情報端末１００が待受モード状態にある場合に、待受モード画像をメモリ１１５から取り込み、表示部１１４に待受モード画像を表示させる動作を行う。
【００９０】
この動作によれば、撮影された動画像から待受モード画像を容易に作成することができる。また、携帯情報端末１００が待受モード状態にある場合には、表示部１１４に待受モード画像を表示させることができるので、携帯情報端末１００の表示部１１４の興趣を向上することができる。
【００９１】
また、携帯情報端末１００において、上記制御部１１０は、表示部１１４に、ユーザに静止画像の選択に関する指示を要求する画面を表示させ、上記操作部１１３は、ユーザからの静止画像の選択に関する指示を受け付けると、静止画像の選択に関する指示を制御部１１０に伝達する動作を行う。
【００９２】
この動作によれば、ユーザが、待受モード画像に用いる動画像の一部を構成する、特に気に入った静止画像を選択することが促される。また、ユーザが特に気に入った静止画像を選択すると、その選択に基づいて、制御部１１０が適切な処理を行うことができる。
【００９３】
また、携帯情報端末１００において、上記制御部１１０は、静止画像の選択に関する指示に基づいて、メモリ１１５から動画像の一部を構成する静止画像を取り込み、静止画像に待受モードフラグと関連づけられた待受モード終了画像フラグを付加することにより、静止画像を動画像の再生終了後に表示する待受モード画像を作成する動作をすることができる。
【００９４】
この動作によれば、撮影された動画像の一部を構成する静止画像を抽出し、静止画像を動画像の再生終了後に表示する待受モード画像を作成することができる。また、携帯情報端末１００が待受モード状態にある場合には、表示部１１４に動画像を表示させ、動画像の再生終了後に静止画像を表示することができるので、携帯情報端末１００の表示部１１４の興趣をさらに向上することができる。
【００９５】
図４は、実施形態に係る携帯情報端末の動作について説明するフローチャート図である。ここでは、主に待受動画を表示部に表示するステップについて説明する。なお、着信動画または通話動画を表示部に表示するステップについては、別途後述する。
【００９６】
カメラ１１２により撮影した動画像を待受け画面としてメモリ１１５に登録した後に、登録した待受け画面を表示部に表示するために、以下のステップが行われる。
【００９７】
待受モード画像（待受動画または待受画面）の再生を行う前に、開閉検出部１１６が携帯情報端末１００の開閉状態の検出（ＯＰＥＮ検出）を行う（Ｓ４０１）。なお、開閉検出部１１６は、折りたたみ式の携帯情報端末１００が閉じている状態では動作せず、携帯情報端末１００をユーザが開くと、開閉検出部１１６にて形態情報端末１００のＯｐｅｎ・Ｃｌｏｓｅを検出する構成としてもよい。
【００９８】
開閉検出部１１６にて、携帯情報端末１００が閉じていると判断されると、制御部１１０は、表示部１１４に、待受モード画像を表示させることはしない。一方、開閉検出部１１６にて、携帯情報端末１００が開いていると判断されると、制御部１１０は、携帯情報端末１００のマナーモードがＯＮの状態であるか、ＯＦＦの状態であるかを検出する（Ｓ４０２）。
【００９９】
制御部１１０は、携帯情報端末１００のマナーモードがＯＮの状態であると判断する場合には、携帯情報端末１００を音声なしモードに切り替える（Ｓ４０３）。また、制御部１１０は、携帯情報端末１００のマナーモードがＯＦＦの状態であると判断する場合には、携帯情報端末１００を音声出力モードに切り替える（Ｓ４０４）。もちろん、携帯情報端末１００が既にこれらのモードである場合には、切り替える必要はない。
【０１００】
次いで、制御部１１０に含まれるモード判断部１２２は、携帯情報端末１００が、待受モード、通話モード、着信モードのいずれのモード状態であるか検出する（Ｓ４０５）。
【０１０１】
制御部１１０は、携帯情報端末１００が待受状態にあると判断する場合には、メモリ１１５から待受モード画像データを読込んで、表示部１１４に、待受動画を再生させる（Ｓ４０６）。
【０１０２】
また、後述するように、制御部１１０は、携帯情報端末１００が通話状態にあると判断する場合には、メモリ１１５から通話モードフラグが付加されている通話モード画像データを読込んで、表示部１１４に、通話動画を再生させる（Ｓ４０７）。
【０１０３】
また、制御部１１０は、携帯情報端末１００が着信状態にあると判断する場合には、メモリ１１５から着信モードフラグが付加されている着信モード画像データを読込んで、表示部１１４に、着信動画を再生させる（Ｓ４０８）。
【０１０４】
動画像の再生を行う際に、制御部１１０は、動画像の再生時間の終了を検出する（Ｓ４０９）。制御部１１０は、動画像の再生時間の終了を検出した場合には、表示部１１４に、動画像の再生を終了させ、指定されている待受モードなどの特定モード終了画像フラグが付加されている静止画像データを、メモリ１１５から読み込んで、表示部１１４に静止画像を表示させる（Ｓ４１２）。
【０１０５】
また、制御部１１０は、動画像の再生時間の終了を検出しない場合には、操作部１１３においてユーザが終了ボタンを押下することなどにより、操作部１１３が終了指示を受け付けたか否かを検出する（Ｓ４１０）。
【０１０６】
制御部１１０は、操作部１１３が終了指示を受け付けたことを検出した場合には、表示部１１４に、動画像の再生を終了させ、指定されている待受モードなどの特定モード終了画像フラグが付加されている静止画像データを、メモリ１１５から読み込んで、表示部１１４に静止画像を表示させる（Ｓ４１２）。
【０１０７】
また、制御部１１０は、動画像の再生時間の終了を検出せず、操作部１１３が終了指示を受け付けたことも検出しない場合には、動画像の再生を継続する（Ｓ４１１）。そして、動画像の再生時間の終了を検出するか、操作部１１３が終了指示を受け付けたことを検出した場合には、上記のように、表示部１１４に静止画像を表示させる（Ｓ４１２）。
【０１０８】
上記のフローチャートにおける携帯情報端末１００の動作を別の観点から捉えると、以下のように説明できる。
【０１０９】
携帯情報端末１００は、カメラ１１２での動画録画が可能とされる携帯電話機をはじめとする携帯情報端末１００において、撮影した動画データを待受け動画画像とすることができる。また、その動画画像の中で気に入ったシーンを静止画として抽出することが出来るので、ＬＣＤ画面などを含む表示部１１４において、待受け動画の再生終了後に、抽出した静止画面を表示することができる。
【０１１０】
すなわち、携帯情報端末１００によれば、カメラ１１２で撮影した動画を携帯電話などの携帯情報端末１００の待受け動画として利用できる様にし、動画機能の利用シーンの拡大と待受け画面機能の向上が図られる。
<実施形態２>
【０１１１】
本実施形態における携帯情報端末１００は、基本的には、実施形態１に係る携帯情報端末１００と同様であるが、動画像を待受画像として登録する代わりに、通話画像として登録できる点が異なる。
【０１１２】
図５は、実施形態に係る携帯情報端末の動作について説明するフローチャート図である。ここでは、主に通話動画として登録するステップについて説明する。
【０１１３】
カメラ１１２により撮影した動画像をメモリ１１５に登録した後に、登録した動画像を通話画面へ登録するために、以下のステップが行われる。まず、操作部１１３におけるユーザ操作に基づいて、制御部１１０は、携帯情報端末１００の状態を通話動画設定モードに移行させる（Ｓ５０１）。
【０１１４】
次いで、制御部１１０は、表示部１１４に、ユーザにメモリ１１５に登録（録画または保存）された動画像のうちから通話動画とすることを希望する動画像のファイルの選択を促す表示をさせる（Ｓ５０２）。
【０１１５】
そして、操作部１１３におけるユーザ操作に基づいて、制御部１１０は、表示部１１４に、ユーザが選択した動画ファイルに含まれる動画像データを再生させる（Ｓ５０３）。
【０１１６】
ここで、制御部１１０は、表示部１１４に、ユーザに通話動画の最終画面（動画終了後に静止表示される画像）を指定することを促す表示をさせる。この表示に応じて、ユーザは、好みのタイミングにて動画再生途中に、操作部１１３において動画像を一時停止（Ｐａｕｓｅ）させる操作をすることにより、静止画像を指定する。すると、操作部１１３におけるユーザ操作に基づいて、制御部１１０は、指定された静止画切出タイミングにおいて再生中の動画像を一時停止して、指定された静止画像を表示部１１４に表示させる（Ｓ５０４）。
【０１１７】
次いで、制御部１１０は、表示部１１４に、ユーザに表示された静止画像を終了画像として指定するか否かの選択を促す表示をさせる（Ｓ５０５）。
【０１１８】
指定するタイミング等の面において、ユーザの希望のシーンに静止できなかった場合などは、操作部１１３においてユーザが表示された静止画像を終了画像として指定しない操作をすると、操作部１１３におけるユーザ操作に基づいて、制御部１１０は、表示部１１４に、一時停止している動画像を再度頭から再生させる。このとき、制御部１１０は、表示部１１４に、再生スピードをスローにするなどして動画像を再生させてもよい。
【０１１９】
そして、ユーザが表示された静止画像を気に入って、終了画像として指定する操作をすると、操作部１１３におけるユーザ操作に基づいて、制御部１１０は、指定された静止画像に通話モード終了画像フラグを付加して、メモリ１１５に保存する。
【０１２０】
続いて、制御部１１０は、表示部１１４に、指定された静止画像を終了画像として表示するように構成された動画像を通話動画として登録するか否かの選択を促す表示をさせる（Ｓ５０６）。
【０１２１】
ユーザが通話動画として登録しないことを選択した場合には、操作部１１３におけるユーザ操作に基づいて、制御部１１０は、再度動画像を再生する（Ｓ５０３）。そして、ユーザが気に入った動画像（静止画像からなる終了画像付き）を通話動画として登録する選択をするまで、上記の各ステップを繰り返す。
【０１２２】
ユーザが通話動画として登録することを選択した場合には、操作部１１３におけるユーザ操作に基づいて、制御部１１０は、動画像（静止画像からなる終了画像付き）に通話モードフラグを付加して、メモリ１１５に通話動画像として登録する（Ｓ５０７）。
【０１２３】
図４は、実施形態に係る携帯情報端末の動作について説明するフローチャート図である。ここでは、主に通話動画を表示部に表示するステップについて説明する。
【０１２４】
カメラ１１２により撮影した動画像を通話画面としてメモリ１１５に登録した後に、登録した通話画面を表示部に表示するために、以下のステップが行われる。
【０１２５】
通話モード画像（通話動画または通話画面）の再生を行う前に、開閉検出部１１６が携帯情報端末１００の開閉状態の検出（ＯＰＥＮ検出）を行う（Ｓ４０１）。なお、開閉検出部１１６は、折りたたみ式の携帯情報端末１００が閉じている状態では動作せず、携帯情報端末１００をユーザが開くと、開閉検出部１１６にて形態情報端末１００のＯｐｅｎ・Ｃｌｏｓｅを検出する構成としてもよい。
【０１２６】
開閉検出部１１６にて、携帯情報端末１００が閉じていると判断されると、制御部１１０は、表示部１１４に、通話モード画像を表示させることはしない。一方、開閉検出部１１６にて、携帯情報端末１００が開いていると判断されると、制御部１１０は、携帯情報端末１００のマナーモードがＯＮの状態であるか、ＯＦＦの状態であるかを検出する（Ｓ４０２）。
【０１２７】
制御部１１０は、携帯情報端末１００のマナーモードがＯＮの状態であると判断する場合には、携帯情報端末１００を音声なしモードに切り替える（Ｓ４０３）。また、制御部１１０は、携帯情報端末１００のマナーモードがＯＦＦの状態であると判断する場合には、携帯情報端末１００を音声出力モードに切り替える（Ｓ４０４）。もちろん、携帯情報端末１００が既にこれらのモードである場合には、切り替える必要はない。
【０１２８】
次いで、制御部１１０に含まれるモード判断部１２２は、携帯情報端末１００が、待受モード、通話モード、着信モードのいずれのモード状態であるか検出する（Ｓ４０５）。
【０１２９】
制御部１１０は、携帯情報端末１００が通話状態にあると判断する場合には、メモリ１１５から待受モード画像データを読込んで、表示部１１４に、通話動画を再生させる（Ｓ４０７）。
【０１３０】
このとき、例えば、携帯情報端末１００が、特定の相手との通話状態にあり、メモリ１１５に格納されているアドレス帳に含まれる特定の相手のアドレスと関連づけられた通話動画データがメモリ１１５内にある場合には、制御部１１０は、特定の相手と関連づけられている通話動画を表示可能である。このようにすることにより、ユーザは、テレビ電話機能を用いなくても、あたかもテレビ電話で通話しているかのような通話相手との親密な気分を感じることができるので、携帯情報端末の通話画面の興趣が向上する。
【０１３１】
このとき、例えば、特定の相手と関連づけられている通話動画が、特定の相手のすきな音楽などの音声データと関連づけられている場合には、その音声データを通話動画と連動して再生することができる。このようにすることにより、ユーザは、あたかも特定の相手の部屋で相手の自慢のレコードプレーヤーの前で会話しているかのような通話相手との親密な気分を感じることができるので、携帯情報端末の通話画面の興趣が向上する。
【０１３２】
動画像の再生を行う際に、制御部１１０は、動画像の再生時間の終了を検出する（Ｓ４０９）。制御部１１０は、動画像の再生時間の終了を検出した場合には、表示部１１４に、動画像の再生を終了させ、指定されている通話モードなどの特定モード終了画像フラグが付加されている静止画像データを、メモリ１１５から読み込んで、表示部１１４に静止画像を表示させる（Ｓ４１２）。
【０１３３】
また、制御部１１０は、動画像の再生時間の終了を検出しない場合には、操作部１１３においてユーザが終了ボタンを押下することなどにより、操作部１１３が終了指示を受け付けたか否かを検出する（Ｓ４１０）。
【０１３４】
制御部１１０は、操作部１１３が終了指示を受け付けたことを検出した場合には、表示部１１４に、動画像の再生を終了させ、指定されている通話モードなどの特定モード終了画像フラグが付加されている静止画像データを、メモリ１１５から読み込んで、表示部１１４に静止画像を表示させる（Ｓ４１２）。
【０１３５】
また、制御部１１０は、動画像の再生時間の終了を検出せず、操作部１１３が終了指示を受け付けたことも検出しない場合には、動画像の再生を継続する（Ｓ４１１）。そして、動画像の再生時間の終了を検出するか、操作部１１３が終了指示を受け付けたことを検出した場合には、上記のように、表示部１１４に静止画像を表示させる（Ｓ４１２）。
【０１３６】
携帯情報端末１００は、このように、カメラ１１２での動画録画が可能とされる携帯電話機をはじめとする携帯情報端末１００において、撮影した動画データを通話動画像とすることができる。また、その動画像の中で気に入ったシーンを静止画として抽出することが出来るので、ＬＣＤ画面などを含む表示部１１４において、通話動画の再生終了後に、抽出した静止画面を表示することができる。
【０１３７】
すなわち、携帯情報端末１００によれば、カメラ１１２で撮影した動画を携帯電話などの携帯情報端末１００の通話動画として利用できる様にし、動画機能の利用シーンの拡大と通話画面機能の向上が図られる。
<実施形態３>
【０１３８】
本実施形態における携帯情報端末１００は、基本的には、実施形態１に係る携帯情報端末１００と同様であるが、動画像を待受画像として登録する代わりに、着信画像として登録できる点が異なる。
【０１３９】
図６は、実施形態に係る携帯情報端末の動作について説明するフローチャート図である。ここでは、主に着信動画として登録するステップについて説明する。
【０１４０】
カメラ１１２により撮影した動画像をメモリ１１５に登録した後に、登録した動画像を着信画面へ登録するために、以下のステップが行われる。まず、操作部１１３におけるユーザ操作に基づいて、制御部１１０は、携帯情報端末１００の状態を着信動画設定モードに移行させる（Ｓ６０１）。
【０１４１】
次いで、制御部１１０は、表示部１１４に、ユーザにメモリ１１５に登録（録画または保存）された動画像のうちから着信動画とすることを希望する動画像のファイルの選択を促す表示をさせる（Ｓ６０２）。
【０１４２】
そして、操作部１１３におけるユーザ操作に基づいて、制御部１１０は、表示部１１４に、ユーザが選択した動画ファイルに含まれる動画像データを再生させる（Ｓ６０３）。
【０１４３】
ここで、制御部１１０は、表示部１１４に、ユーザに着信動画の最終画面（動画終了後に静止表示される画像）を指定することを促す表示をさせる。この表示に応じて、ユーザは、好みのタイミングにて動画再生途中に、操作部１１３において動画像を一時停止（Ｐａｕｓｅ）させる操作をすることにより、静止画像を指定する。すると、操作部１１３におけるユーザ操作に基づいて、制御部１１０は、指定された静止画切出タイミングにおいて再生中の動画像を一時停止して、指定された静止画像を表示部１１４に表示させる（Ｓ６０４）。
【０１４４】
次いで、制御部１１０は、表示部１１４に、ユーザに表示された静止画像を終了画像として指定するか否かの選択を促す表示をさせる（Ｓ６０５）。
【０１４５】
指定するタイミング等の面において、ユーザの希望のシーンに静止できなかった場合などは、操作部１１３においてユーザが表示された静止画像を終了画像として指定しない操作をすると、操作部１１３におけるユーザ操作に基づいて、制御部１１０は、表示部１１４に、一時停止している動画像を再度頭から再生させる。このとき、制御部１１０は、表示部１１４に、再生スピードをスローにするなどして動画像を再生させてもよい。
【０１４６】
そして、ユーザが表示された静止画像を気に入って、終了画像として指定する操作をすると、操作部１１３におけるユーザ操作に基づいて、制御部１１０は、指定された静止画像に着信モード終了画像フラグを付加して、メモリ１１５に保存する。
【０１４７】
続いて、制御部１１０は、表示部１１４に、指定された静止画像を終了画像として表示するように構成された動画像を着信動画として登録するか否かの選択を促す表示をさせる（Ｓ６０６）。
【０１４８】
ユーザが着信動画として登録しないことを選択した場合には、操作部１１３におけるユーザ操作に基づいて、制御部１１０は、再度動画像を再生する（Ｓ６０３）。そして、ユーザが気に入った動画像（静止画像からなる終了画像付き）を着信動画として登録する選択をするまで、上記の各ステップを繰り返す。
【０１４９】
ユーザが着信動画として登録することを選択した場合には、操作部１１３におけるユーザ操作に基づいて、制御部１１０は、動画像（静止画像からなる終了画像付き）に着信モードフラグを付加して、メモリ１１５に通話動画像として登録する（Ｓ６０７）。
【０１５０】
図４は、実施形態に係る携帯情報端末の動作について説明するフローチャート図である。ここでは、主に着信動画を表示部に表示するステップについて説明する。
【０１５１】
カメラ１１２により撮影した動画像を着信画面としてメモリ１１５に登録した後に、登録した着信画面を表示部に表示するために、以下のステップが行われる。
【０１５２】
着信モード画像（着信動画または着信画面）の再生を行う前に、開閉検出部１１６が携帯情報端末１００の開閉状態の検出（ＯＰＥＮ検出）を行う（Ｓ４０１）。なお、開閉検出部１１６は、折りたたみ式の携帯情報端末１００が閉じている状態では動作せず、携帯情報端末１００をユーザが開くと、開閉検出部１１６にて形態情報端末１００のＯｐｅｎ・Ｃｌｏｓｅを検出する構成としてもよい。
【０１５３】
開閉検出部１１６にて、携帯情報端末１００が閉じていると判断されると、制御部１１０は、表示部１１４に、着信モード画像を表示させることはしない。一方、開閉検出部１１６にて、携帯情報端末１００が開いていると判断されると、制御部１１０は、携帯情報端末１００のマナーモードがＯＮの状態であるか、ＯＦＦの状態であるかを検出する（Ｓ４０２）。
【０１５４】
制御部１１０は、携帯情報端末１００のマナーモードがＯＮの状態であると判断する場合には、携帯情報端末１００を音声なしモードに切り替える（Ｓ４０３）。また、制御部１１０は、携帯情報端末１００のマナーモードがＯＦＦの状態であると判断する場合には、携帯情報端末１００を音声出力モードに切り替える（Ｓ４０４）。もちろん、携帯情報端末１００が既にこれらのモードである場合には、切り替える必要はない。
【０１５５】
次いで、制御部１１０に含まれるモード判断部１２２は、携帯情報端末１００が、待受モード、通話モード、着信モードのいずれのモード状態であるか検出する（Ｓ４０５）。
【０１５６】
制御部１１０は、携帯情報端末１００が着信状態にあると判断する場合には、メモリ１１５から着信モード画像データを読込んで、表示部１１４に、着信動画を再生させる（Ｓ４０８）。
【０１５７】
このとき、例えば、携帯情報端末１００が、特定の相手からの着信状態にあり、メモリ１１５に格納されているアドレス帳に含まれる特定の相手のアドレスと関連づけられた着信動画データがメモリ１１５内にある場合には、制御部１１０は、特定の相手と関連づけられている着信動画を表示可能である。このようにすることにより、ユーザは、テレビ電話機能を用いなくても、あたかもテレビ電話で呼び出されているかのような着信相手との親密な気分を感じることができるので、携帯情報端末の着信画面の興趣が向上する。
【０１５８】
このとき、例えば、特定の相手と関連づけられている着信動画が、特定の相手の呼び声の音声データと関連づけられている場合には、その音声データを着信動画と連動して再生することができる。このようにすることにより、ユーザは、あたかも特定の相手と道でばったり出くわして呼び止められたかのような着信相手との親密な気分を感じることができるので、携帯情報端末の着信画面の興趣が向上する。
【０１５９】
動画像の再生を行う際に、制御部１１０は、動画像の再生時間の終了を検出する（Ｓ４０９）。制御部１１０は、動画像の再生時間の終了を検出した場合には、表示部１１４に、動画像の再生を終了させ、指定されている着信モードなどの特定モード終了画像フラグが付加されている静止画像データを、メモリ１１５から読み込んで、表示部１１４に静止画像を表示させる（Ｓ４１２）。
【０１６０】
また、制御部１１０は、動画像の再生時間の終了を検出しない場合には、操作部１１３においてユーザが終了ボタンを押下することなどにより、操作部１１３が終了指示を受け付けたか否かを検出する（Ｓ４１０）。
【０１６１】
制御部１１０は、操作部１１３が終了指示を受け付けたことを検出した場合には、表示部１１４に、動画像の再生を終了させ、指定されている着信モードなどの特定モード終了画像フラグが付加されている静止画像データを、メモリ１１５から読み込んで、表示部１１４に静止画像を表示させる（Ｓ４１２）。
【０１６２】
また、制御部１１０は、動画像の再生時間の終了を検出せず、操作部１１３が終了指示を受け付けたことも検出しない場合には、動画像の再生を継続する（Ｓ４１１）。そして、動画像の再生時間の終了を検出するか、操作部１１３が終了指示を受け付けたことを検出した場合には、上記のように、表示部１１４に静止画像を表示させる（Ｓ４１２）。
【０１６３】
携帯情報端末１００は、このように、カメラ１１２での動画録画が可能とされる携帯電話機をはじめとする携帯情報端末１００において、撮影した動画データを着信動画像とすることができる。また、その動画像の中で気に入ったシーンを静止画として抽出することが出来るので、ＬＣＤ画面などを含む表示部１１４において、着信動画の再生終了後に、抽出した静止画面を表示することができる。
【０１６４】
すなわち、携帯情報端末１００によれば、カメラ１１２で撮影した動画を携帯電話などの携帯情報端末１００の着信動画として利用できる様にし、動画機能の利用シーンの拡大と着信画面機能の向上が図られる。
【０１６５】
以上、本発明の構成について説明したが、これらの構成を任意に組み合わせたものも本発明の態様として有効である。また、本発明の表現を他のカテゴリーに変換したものもまた本発明の態様として有効である。
【０１６６】
上記の実施形態で述べた機能構成は、メモリ１１５に格納され、必要な場合に制御部１１０に読み込まれて、制御部１１０に含まれるＣＰＵ１１７において実行されるソフトウェアとして提供されてもよい。そのようなソフトウェアは、ＣＤ−ＲＯＭなどの記録媒体に格納されて提供されてもよい。
【０１６７】
上記の実施形態で述べた待受動画像、着信動画像、通話動画像を表示する仕組みは、それぞれ単独で用いてもよいが、組み合わせて用いてもよい。また、携帯情報端末１００のメモリ１１５には、着信動画像、通話動画像が、それぞれアドレス帳に含まれる特定の相手と関連づけられて保存されており、特定の相手との着信モード、特定の相手との通話モードにおいて、それらの画像データが連動して再生されてもよい。
このような構成によれば、具体的には、以下のような用い方が可能である。
【０１６８】
みさきくんの所有する折りたたみ式の携帯情報端末１００を開くと、待受状態における表示部１１４には、みさきくんが高校時代に所属していたサッカー部のメンバーの練習風景を撮影した動画像が再生され、同時にみんなの「めざせ！全国」というかけ声を録音した音声が再生される。そして、再生終了後にメンバー全員の集合写真が表示される。
【０１６９】
サッカー部の友人のつばさくんから電話がかかってくると、みさきくんの携帯情報端末１００はつばさくんからの着信状態に移行し、メモリ１１５に格納されているアドレス帳に含まれるつばさくんの電話番号と関連付けられている、つばさくんのシュート風景を撮影した動画像が表示部１１４に再生される。同時につばさくんの「ドライブシュートだ！」という叫び声を録音した音声データが再生される。そして、再生終了後にシュートを決めてガッツポーズを決めているつばさくんの勇姿が表示される。
【０１７０】
続いて、みさきくんが通話ボタンを押すと、みさきくんの携帯情報端末１００はつばさくんとの通話状態に移行し、メモリ１１５に格納されているアドレス帳に含まれるつばさくんの電話番号と関連付けられている、つばさくんのふだんのおしゃべり風景を撮影した動画像が表示部１１４に再生される。同時につばさくんの好きな日本代表サッカーチームの応援ソングを録音した音声データが再生される。そして、再生終了後につばさくんのかっこいい笑顔が表示される。
【０１７１】
このようにすれば、携帯情報端末１００の利用状態に応じて、ユーザ個々人の好みに応じてカスタマイズされた、ユーザ個々人が独自に撮影または録音した動画像、静止画像、音声をメディアミックスした複合的なマルチメディアデータの利用が可能であり、個々人の価値観が多様化したマルチメディア時代にふさわしい形で、携帯情報端末１００の興趣の向上が実現できる。
【図面の簡単な説明】
【０１７２】
【図１】実施形態に係る携帯情報端末の構成を模式的に示した機能ブロック図である。
【図２】実施形態に係る携帯情報端末の動作について説明するフローチャート図である。
【図３】実施形態に係る携帯情報端末の動作について説明するフローチャート図である。
【図４】実施形態に係る携帯情報端末の動作について説明するフローチャート図である。
【図５】実施形態に係る携帯情報端末の動作について説明するフローチャート図である。
【図６】実施形態に係る携帯情報端末の動作について説明するフローチャート図である。
【図７】実施形態に係る携帯情報端末の表示部における画面表示の一例を説明する外観図である。
【図８】実施形態に係る携帯情報端末のメモリ内に格納される動画データの構造の一例について説明するデータ構造図である。
【図９】実施形態に係る携帯情報端末のメモリ内に格納される画像データベースの構造の一例について説明するデータ構造図である。
【符号の説明】
【０１７３】
１００  携帯情報端末
１０１  無線部
１１０  制御部
１１１  画像処理部
１１２  カメラ
１１３  操作部
１１４  表示部
１１５  メモリ
１１６  開閉検出部
１１７  ＣＰＵ
１２２  モード判断部
１２３  音声処理部
７００  ＬＣＤ画面
７０２  促す表示
７０６  人物
７０８  Ｐａｕｓｅボタン
７１０  再生ボタン
７１２  早送りボタン
７１４  巻き戻しボタン
７１６  一時停止ボタン
７１８  スピーカ
【図１】
2005323008.tif 000003
【図２】
2005323008.tif 000004
【図３】
2005323008.tif 000005
【図４】
2005323008.tif 000006
【図５】
2005323008.tif 000007
【図６】
2005323008.tif 000008
【図７】
2005323008.tif 000009
【図８】
2005323008.tif 000010
【図９】
2005323008.tif 000011